(57)【要約】【課題】コストが低くて大量生産に適し、しかも高い質感を備えた工具収納装置を実現することを課題とする。【解決手段】発泡スチロール製の台１０と、台１０の載せ部１１に結合してある本体２０とを有する。本体２０はスポンジから作られた発泡材であり、これには工具３０を置くことに用いられる複数個の容置溝２１が形成してある。その容置溝２１は工具３０の外輪郭に近い形に設けられ、かつ容置溝２１の寸法は工具３０の寸法よりやや小さく作られているので、容置溝２１は工具３０を良好に挟み持つ。【選択図】図２
0003121116.tif 000002
【実用新案登録請求の範囲】
【請求項１】
その一側に載せ部が形成してある台と、
前記台の前記載せ部に結合してある柔軟な弾性を有する本体とよりなり、
前記本体は、工具を置くことに用いられる複数個の容置溝が形成してある構成であり、
工具が、前記本体の容置溝内に柔軟的に挟み持たれて、前記台上に置かれる構成としたことを特徴とする工具収納装置。
【請求項２】
請求項１に記載の工具収納装置において、
前記本体は、スポンジから作られた発泡材であり、柔軟な弾性があり、かつ高い質感の美観効能を有することを特徴とする工具収納装置。
【請求項３】
請求項１に記載の工具収納装置において、
前記台は、発泡スチロールから作られた殻状物であり、工具を支え置くことができる強度を有し、かつコストが低くて大量生産に適する効能を有することを特徴とする工具収納装置。
【請求項４】
請求項１に記載の工具収納装置において、
前記台は、プラスチック射出成型された射出盤であり、工具を支え置くことができる強度があり、かつコストが低くて大量生産に適する効能を有することを特徴とする工具収納装置。
【請求項５】
請求項１に記載の工具収納装置において、
前記本体に形成してある容置溝は、工具の寸法よりやや小さい大きさであり、
該容置溝は工具に良好な挟み持ちの効能を提供することを特徴とする工具収納装置。
【請求項６】
請求項１に記載の工具収納装置において、
前記台は、前記載せ部の周縁に壁部が形成してあり、該台の強度が増してあり、該本体が素早く位置決めされる効能を提供することを特徴とする工具収納装置。
【請求項７】
請求項１に記載の工具収納装置において、
前記台の前記載せ部に、複数個の定位置部が形成してあり、
前記本体のうち、前記定位置部に相対する個所に定位置溝が形成してあり、
前記定位置溝が前記定位置部に嵌合して、前記本体が前記台に素早く組み付け結合される効能が得られることを特徴とする工具収納装置。
【請求項８】
請求項１に記載の工具収納装置において、
前記台の前記載せ部に、厚さの違う凹凸の組み合せ部が形成してあり、
前記組み合せ部は、サイズの違う工具を同じ高さの表現方式で本体の容置溝内に並べることを可能とし、整然で美観の効能が達成されることを特徴とする工具収納装置。
【考案の詳細な説明】
【技術分野】
【０００１】
本考案は工具収納装置の改善した構造に係り、特に安値と高い質感を兼ねてある工具収納装置の改善した構造に関する。
【従来の技術】
【０００２】
従来の工具収納装置の多くは発泡スチロールによって作られているが、発泡スチロールから作られる工具収納装置は質感がよくなく、非専業者の市場だけに適用され、専業級使用者はそれを愛用しない。工具収納装置の質感を高め、高品質の工具を映し出すため、スポンジ等発泡材から作られる工具収納装置が発展された。
【０００３】
図１（Ａ），（Ｂ）は従来の工具収納装置１を示す。この工具収納装置１はスポンジ２等発泡材を重ね合わせてなり、その工具収納装置１は工具５を入れるため、スポンジ２に複数の容置溝３を設けてサイズの違う工具５を置くことに供される。ところがこれら工具５は厚さが違うので、工具５をその容置溝3に入れると小さい工具５はその容置溝３から取り出しにくくなる。そこで、使用者が工具を取り出しやすくするため、その容置溝３内に数枚のスポンジシート４を敷いて工具５を高く当ててやり、それら工具５が同一平面に並ぶようにしてある。
【０００４】
ところが、この方法は生産ラインの作業者にスポンジシート４を詰め込む手順を増してしまい、仕事量の増加や製造時数の浪費になり、かつその他製品の製造効率にも影響する。この外、スポンジ２のコストは発泡スチロールより高いので、このように大量のスポンジ２を重ねて使う工具収納装置１の売値はもちろん割高になってしまい、消費者の購買意欲を引き寄せることができない。従ってこの従来の構造から発生する多くの欠点は実に研究開発によって改善する必要がある。
【考案の開示】
【考案が解決しようとする課題】
【０００５】
従来構造の工具収納装置は、スポンジ等発泡材を重ね合わせてなり、サイズの違う工具を入れるため、スポンジに複数の容置溝が形成してある構成である。これら工具は厚さが違うので、工具をその容置溝に入れると小さい工具はその容置溝から取り出しにくくなる。使用者が工具を取り出しやすくするため、その容置溝内に数枚のスポンジシートを敷いて工具を高く当ててやり、それら工具が同一平面に並べられるようにする。ところが、この方法は生産ラインの作業者にスポンジシートを詰め込む手順を増してしまい、仕事量の増加や製造時数の浪費になり、かつその他製品の製造効率にも影響する。この外、スポンジのコストは発泡スチロールより高いので、このように大量のスポンジを重ねて使う工具収納装置の売値は割高になってしまい、消費者の購買意欲を引き寄せることができない。
【課題を解決するための手段】
【０００６】
本考案の工具収納装置の構造は、台と本体とを有し、その台の一側には載せ部が形成され、その載せ部は工具を置くことに用いられ、その台は発泡スチロールまたは射出盤またはその他材料でもよい。その本体は台の載せ部に結合され、本体はスポンジまたはその他材料でもよく、柔らかくて弾性があり、本体には工具を置くことに用いられる複数個の容置溝が設けられてある。これにより、工具は、本体の容置溝に柔軟に挟み持たれて、台に置かれる。
【考案の効果】
【０００７】
本考案は、次の効果を有する。
１．台は発泡スチロールまたは射出盤から作られてコストが低く、本体はスポンジから作られて高質感の美観効能がある。
２．本体は粘着、貼り合わせまたはその他方法をもって台と互いに結合される。
３．台には壁部が設けられて本体に快速定位置の効能を提供し、本体は載せ部に落ち込んで台と結合することができる。
４．台の載せ部には複数個の定位置部が設けられ、その本体の定位置部に相対する個所には定位置溝が設けられ、それには快速組み付け結合の効能がある。
５．台の載せ部には本体の容置溝の形状に相対する組み合せ部が設けられてあり、台は厚さの違う凹凸の組み合せ部によってサイズの違う工具を同じ高さの表現方式で本体の容置溝内に並べることができ、整然で美観の効能が達成される。
【考案を実施するための最良の形態】
【０００８】
以下、本考案の実施例になる工具収納装置について説明する。
【実施例１】
【０００９】
図２及び図３（Ａ）、（Ｂ）は本案の実施例１になる工具収納装置を示す。工具収納装置は、台１０と本体２０とを有する。
【００１０】
台１０は、略矩形であり、その一側の面には載せ部１１が形成してある。この載せ部１１は工具３０を置くことに用いられる。台１０は、発泡スチロール製であり、底面が凹んでいる形状の殻状物である。台１０は、もちろんプラスチック射出成型された射出盤でもよい。台１０は工具３０を支え置くことができる強度があり、かつコストが低くて大量生産に適する。また、台１０は違う需要に応じて違う形状に作られることができ、またはその他材料を使って製造されてもよい。
【００１１】
本体２０は、略矩形であり、台１０の載せ部１１に、粘着、貼り合わせまたはその他方法をもって結合してある。本体２０には工具３０を置くことに用いられる複数個の容置溝２１が形成してある。その容置溝２１は工具３０の外輪郭に近い形に設けられ、かつ容置溝２１の寸法は工具３０の寸法よりやや小さく作られているので、容置溝２１は工具３０を良好に挟み持つ効能を提供する。本実施例において、本体２０はスポンジから作られた発泡材であるため、本体２０には柔軟な弾性があり、かつそれには高い質感の美観効能がある。その本体２０は違う需要によって違う形状に作ることができ、またはその他材料を使って製造されてもよい。
【実施例２】
【００１２】
図４及び図５（Ａ）、（Ｂ）は本案の実施例２になる工具収納装置を示す。この工具収納装置は、前記の実施例１と略同じであり、台１０の載せ部１１の四方周縁に壁部１２が設けてある構成が相違する。
【００１３】
壁部１２は載せ部１１よりやや突き出しており、載せ部１１は少し凹状となっている。本体２０が台１０に結合されると、壁部１２は本体２０を位置決めする効能を提供し、本体２０は載せ部１１に落ち込んで嵌合して台１０と結合される。このように、台１０と本体２０との組み付けはより迅速になり、工具収納装置の組み立ての工数を節減して生産効率を高めることができる。また、壁部１２は台１０の強度を増している。
【実施例３】
【００１４】
図６及び図７（Ａ）、（Ｂ）は本案の実施例３になる工具収納装置を示す。この工具収納装置は、前記の実施例１と略同じであり、台１０の載せ部１１に複数個の定位置部１３が形成してあり、その本体２０のうちこの定位置部１３に相対する個所に定位置溝２２が形成してある点が相違する。
【００１５】
その定位置部１３は載せ部１１よりやや突き出している。これにより、本体２０が台１０に結合されると、本体２０の定位置溝２２が台１０の定位置部１３にスムーズに嵌合して取り付けることができ、組み付け結合を素早くできるという効果を有する。
【実施例４】
【００１６】
図８及び図９（Ａ）、（Ｂ）は本案の実施例４になる工具収納装置を示す。この工具収納装置は、前記の実施例１と略同じであり、台１０の載せ部１１に本体２０の容置溝２１の形状に相対する組み合せ部１４が設けてある点が相違する。
【００１７】
その台１０の組み合せ部１４は、載せ部１１に、工具３０の厚みに応じて、それぞれ厚さの違う凹又は凸に形成してある。
【００１８】
組み合せ部１４が工具３０の厚みに応じて厚さの違う凹又は凸に形成してあることによって、サイズの違う複数の工具３０が、本体２０の容置溝２１に嵌合して並べて置かれた状態で、全部の工具３０は上面が同じ高さに揃えられ、整然で美観の効能が達成される。
【００１９】
組み合せ部１４の中には載せ部１１から突き出た組み合せ部１４が存在する。この突き出た組み合せ部１４は、本体２０を台１０に結合する場合に、本体２０の台１０に対する位置を決め、組み付け結合を素早くできるという効果を有する。
【００２０】
以上に述べたのは本考案の最適実施例であり、それは本考案の実施範囲を限定するものではなく、およそ数値の変更または同等効果の部品の入れ替え、または本考案の実用新案登録請求の範囲によって行った同等変化と改修はすべて本考案の範疇に含まれるものである。
【図面の簡単な説明】
【００２１】
【図１】従来の工具収納装置を示し、（Ａ）は平面図、（Ｂ）は（Ａ）中１Ａ−１Ａ線に沿う断面図である。
【図２】本考案の実施例１になる工具収納装置の立体分解斜視図である。
【図３】図２の工具収納装置を示し、（Ａ）は平面図、（Ｂ）は（Ａ）中３Ａ−３Ａ線に沿う断面図である。
【図４】本考案の実施例２になる工具収納装置の立体分解斜視図である。
【図５】図４の工具収納装置を示し、（Ａ）は平面図、（Ｂ）は（Ａ）中５Ａ−５Ａ線に沿う断面図である。
【図６】本考案の実施例３になる工具収納装置の立体分解斜視図である。
【図７】図６の工具収納装置を示し、（Ａ）は平面図、（Ｂ）は（Ａ）中７Ａ−７Ａ線に沿う断面図である。
【図８】本考案の実施例４になる工具収納装置の立体分解斜視図である。
【図９】図８の工具収納装置を示し、（Ａ）は平面図、（Ｂ）は（Ａ）中９Ａ−９Ａ線に沿う断面図である。
【符号の説明】
【００２２】
１０  台
１１  載せ部
１２  壁部
１３  定位置部
１４  組み合わせ部
２０  本体
２１  容置溝
２２  定位置溝
３０  工具
【図１】
0003121116.tif 000003
【図２】
0003121116.tif 000004
【図３】
0003121116.tif 000005
【図４】
0003121116.tif 000006
【図５】
0003121116.tif 000007
【図６】
0003121116.tif 000008
【図７】
0003121116.tif 000009
【図８】
0003121116.tif 000010
【図９】
0003121116.tif 000011